【事件の表示】
　特願２０１２−２１２８３１「電子機器、制御方法、及び制御プログラム」拒絶査定不服審判事件〔平成２６年　４月１７日出願公開、特開２０１４−　６８２４０〕について、次のとおり審決する。
【結　論】
　本件審判の請求は、成り立たない。
【理　由】
 第１　手続の経緯
　本願は、平成２４年９月２６日の出願であって、平成２８年７月２５日付けで拒絶理由が通知され、同年９月２７日に意見書が提出されるとともに手続補正がなされ、平成２９年２月１３日付けで最後の拒絶理由が通知され、同年４月１４日に意見書が提出されるとともに手続補正がなされ、同年９月１３日付けで最後の拒絶理由通知が通知され、同年１１月１７日に意見書が提出されるとともに手続補正がなされ、当該手続補正について平成３０年３月２９日付けで補正の却下の決定がされるとともに拒絶査定がなされ、これに対して同年７月２日に拒絶査定不服審判が請求されると同時に手続補正がなされたものである。
第２　平成３０年７月２日にされた手続補正についての補正の却下の決定
［補正の却下の決定の結論］
　平成３０年７月２日にされた手続補正（以下「本件補正」という。）を却下する。
　
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
　「操作部と、
　ステータスバーに通知される情報の詳細情報を通知する通知領域
とボタンと
　
前記操作部を介して前記ボタンへの操作があると作成テキストを作成する作成画面を表示し、当該作成画面において
と
　を有する電子機器。」
　
（２）本件補正前の特許請求の範囲の記載
　本件補正前の、平成２９年４月１４日にされた手続補正により補正された特許請求の範囲の請求項１の記載は次のとおりである。なお、平成２９年１１月１７日にされた手続補正は平成３０年３月２９日付けで却下された。
　「操作部と、
　ステータスバーに通知される情報の詳細情報を通知する通知領域を含む通知画面を表示するディスプレイと、
　前記操作部を介して作成された作成テキストを前記通知画面に表示させるコントローラ
と
　を有する電子機器。」
２　補正の適否
　本件補正は、本件補正前の請求項１に記載された発明を特定するために必要な事項である「通知画面」について、「ボタン」を含む旨の限定を付加して「ステータスバーに通知される情報の詳細情報を通知する通知領域
とボタンと
前記操作部を介して前記ボタンへの操作があると作成テキストを作成する作成画面を表示し、当該作成画面において
前記操作部を介して前記ボタンへの操作があると作成テキストを作成する作成画面を表示し、当該作成画面において
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記「１　本件補正について（補正の内容）」の「（１）本件補正後の特許請求の範囲の記載」に記載したとおりのものである。
　
（２）引用文献の記載事項
ア　引用文献１
（ア）原査定の拒絶の理由で引用された本願出願日前に頒布された又は電気通信回線を通じて公衆に利用可能となった刊行物である、米国特許出願公開２００６／０１０１３５０号明細書（２００６年（平成１８年）５月１１日出願公開。以下、「引用文献１」という。）には、図面とともに、次の記載がある。（下線は当審で付した。）
ａ．「[0037] 
Mobile station 202 includes a microprocessor 238
which controls overall operation of mobile station 202
Microprocessor 238 also interacts with additional device subsystems such as a display 222
a keyboard 232,
some subsystems, such as keyboard 232 and display 222, for example, may be used for both communication related functions, such as entering a text message for transmission over a communication network, and device-resident functions such as a calculator or task list
　（当審訳：「［００３７］　
移動局２０２は、移動局２０２全体の動作を制御するマイクロプロセッサ２３８
を含む
マイクロプロセッサ２３８はまた、ディスプレイ２２２
キーボード２３２、
などの追加デバイスサブシステムと相互作用する。
キーボード２３２及びディスプレイ２２２などの一部のサブシステムは、例えば、通信ネットワークを介する送信のためのテキストメッセージの入力のような通信関連機能、及び計算機又はタスクリストのようなデバイス常駐機能の両方のために使用することができる
ｂ．「[0047] Dynamic Bar 304 includes a label portion 308 which in the present embodiment comprises a date reference and an expansion icon (downward pointing arrowhead) 310. A user may click on the dynamic bar (e.g. using a point device, such as a thumb wheel) and expand the dynamic bar to preview items associated with the bar 304. In the present embodiment, dynamic bar 304 is associated with an email application to preview email messages. FIG.4, in accordance with an embodiment of the invention, illustrates FIG.3 following a user action to expand the dynamic bar 304. 
In FIG.4, mobile station status portion 306 includes a new email count 402 indicating 30 unread emails
[0048] FIGS.5 and 6 illustrate similar main screens 300 as shown in FIGS.3 and 4 but with a dynamic bar and expansion pop-up interface in accordance with a further embodiment of the invention. 
Dynamic bar 304 of FIGS.5 and 6 includes counts of new events 502 (e.g. new voice mail messages, email messages, SMS messages or contacts online with which to chat). As such, mobile stations status portion 306 need not display such dynamic preview information
[0049] 
Expansion pop-up 602
lists particular services 604 associated with the dynamic bar 304 such as voice mail, email, SMS and chat including an iconic representation of the service 606 and preview information comprising a count 608 as similarly displayed by bar 304 and a link 610 to invoke the associated application user interface for the service
　（当審訳：「［００４７］　ダイナミック・バー３０４は、本実施の形態では、基準日付及び拡張アイコン（下向き矢印）３１０からなるラベル部分３０８を含む。ユーザは、（例えば、サムホイールのようなポイントデバイスを使用して）ダイナミック・バーをクリックし、ダイナミック・バーを拡張してバー３０４に関連付けられた項目をプレビューすることができる。本実施の形態では、ダイナミック・バー３０４は、電子メールメッセージをプレビューするための電子メールアプリケーションと関連付けられている。図４は、本発明の実施形態によれば、図３からダイナミック・バー３０４を拡張するためのユーザ動作があった後の図を示す。
図４では、移動局ステータス部分３０６は、３０個の未読電子メールを示す新たな電子メール件数４０２を含む
［００４８］　図５及び図６は、図３及び図４に示されるのと同様の主画面３００を示すが、本発明の更なる実施形態に係るダイナミック・バー及び拡張ポップアップ・インターフェースを有する。
図５及び図６のダイナミック・バー３０４は、新たなイベント５０２（例えば、新たな音声メールメッセージ、電子メールメッセージ、ＳＭＳメッセージ、又はチャットのためのオンラインのコンタクト）の件数を含む。このように、移動局ステータス部分３０６は、このような動的なプレビュー情報を表示する必要はない
［００４９］　本実施例における
拡張ポップアップ６０２は
音声メール、電子メール、ＳＭＳ、チャット等のようなダイナミック・バー３０４に関連する特定のサービス６０４をリストし、リストは、当該サービスのアイコンによる表示６０６と、バー３０４に表示されるのと同様の件数６０８及び当該サービスのための関連するアプリケーションユーザインタフェースを呼び出すためのリンク６１０を含むプレビュー情報とを含む
ｃ．「[0051] FIGS.10 and 11A to 11D illustrate yet a further embodiment of a main screen user interface of the present invention. 
FIG.10 illustrates a user interface main screen 300 comprising a plurality of dynamic bars 1004, 1008, 1012, 1016 and 1020 each with respective label portions 1002, 1007, 1011, 1015 and 1019 and expansion pop-ups 1006, 1010, 1014, 1018 and 1022
When expanded
they cannot all be displayed on the display device at one time below mobile station status portion 1002
The remaining portion of display device 222 is denoted by box 1001
As such a user may navigate the main screen, scrolling up or down as necessary to display the desired dynamic bar and expansion screen of interest
FIGS.11A to 11D illustrate respective views of main screen 300 of FIG.10 visible within the dimensions of display device 222
[0052]  In the present embodiment, the dynamic bars 1004, 1008, 1012, 1016 and 1020 and expansion pop-ups 1006, 1010, 1014, 1018 and 1022 are associated with various applications and services and/or device functions in accordance with a contextual view of how the mobile station may be used by a user. For example, 
the label portions 1002, 1007, 1011, 1015 and 1019 denote activities such as communicate, plan, entertain configure and extra.
Communicate bar 1004 and expansion pop-up 1006 is similar to the dynamic bar 304 and associated pop-up 602 of earlier embodiments
With reference to FIG.11B, plan bar 1008 and expansion pop-up 1010 are associated with calendar and task functions 1102 previewing items (e.g. 1006) for the current day 1004 and additional upcoming days 1008 and 1110
（当審訳：「［００５１］　図１０及び図１１Ａ乃至図１１Ｄは、本発明のメインスクリーン・ユーザインターフェースの更なる実施形態を示している。
図１０は、ユーザインターフェイスのメインスクリーン３００を示し、各々がラベル部分１００２（当審注：１００３の誤記と認める。）、１００７、１０１１、１０１５及び１０１９と、拡張ポップアップ１００６、１０１０、１０１４、１０１８及び１０２２とを有する複数のダイナミック・バー１００４、１００８、１０１２、１０１６及び１０２０を含んで構成される
拡張されると、図１０のメインスクリーン３００のバー及びポップアップは、ディスプレイ上、移動局ステータス部分１００２の下に一度に表示することができない
ディスプレイ２２２の残りの部分は、ボックス１００１で示されている
このようなユーザは
所望のダイナミック・バー及び拡張スクリーンを表示させるように必要に応じて、スクロールアップ又はダウンさせて、メインスクリーンをナビゲートすることができる
図１１Ａ〜１１Ｄは、ディスプレイ２２２の寸法内で見ることができる図１０のメインスクリーン３００の図をそれぞれ示している
［００５２］　本実施の形態では、ダイナミック・バー１００４、１００８、１０１２、１０１６及び１０２０と、拡張ポップアップ１００６、１０１０、１０１４、１０１８及び１０２２とは、移動局がユーザによりどのように使用されるかのコンテクストビューに従って、様々なアプリケーション、サービス、及び／又は、デバイスの機能に関連付けられる。例えば、
ラベル部分１００２（当審注：１００３の誤記と認める。）、１００７、１０１１、１０１５及び１０１９は、“ｃｏｍｍｕｎｉｃａｔｅ”、“ｐｌａｎ”、“ｅｎｔｅｒｔａｉｎ”、“ｃｏｎｆｉｇｕｒｅ”及び“ｅｘｔｒａ”のような活動を示している
コミュニケート・バー１００４及び拡張ポップアップ１００６は、先の実施形態のダイナミック・バー３０４及び関連するポップアップ６０２と同様である
図１１Ｂを参照すると、プラン・バー１００８及び拡張ポップアップ１０１０は、現在の日１００４（当審注：１１０４の誤記と認める。）及び翌日以降の日１００８（当審注：１１０８の誤記と認める。）及び１１１０の項目（例えば、１００６（当審注：１１０６の誤記と認める。））をプレビューするカレンダ及びタスク機能１１０２に関連している
ｄ．「[0056] 
FIGS.13A, 13B and 13C show examples 1302, 1304 and 1306 of an additional dynamic bar interface expansion element for respective dynamic bars 1004, 1008 and 1012. Each expansion element 1302, 1304 and 1306 is a drop down list comprising particular functions or features of the application(s) associated with the respective dynamic bar which may be invoked from the dynamic bar interface as well as dynamic bar features (e.g. search) or other configurable options (e.g. view agenda, week, month of list 1304) for configuring the dynamic bar or its associated expansion pop-up (e.g. the view of 1010)
The expansion element may be invoked by moving a focus to the label portion (e.g. 1003, 1007 or 1011) and hovering for short period of a few seconds
the element overlays only a portion of the screen  300 , leaving the associated dynamic bar and a portion of its expansion pop-up viewable
　（当審訳：「［００５６］　
図１３Ａ、図１３Ｂおよび図１３Ｃは、それぞれのダイナミックバー１００４、１００８及び１０１２のための付加的なダイナミック・バー・インターフェース拡張要素の例１３０２、１３０４及び１３０６を示す
各拡張要素１３０２、１３０４及び１３０６は、ダイナミック・バーの機能（例えば、検索）、ダイナミック・バー又は関連する拡張ポップアップ（例えば、１０１０のビュー）を構成するための他の設定可変なオプション（例えば、リスト１３０４のＶｉｅｗ　Ａｇｅｎｄａ、Ｗｅｅｋ、Ｍｏｎｔｈ）だけでなく、それぞれのダイナミック・バーに関連するアプリケーションの、ダイナミック・バー・インターフェースから起動することができる、特定の機能又は特徴から構成されるドロップダウンリストである
拡張要素は、ラベル部分（例えば、１００３、１００７、または１０１１）にフォーカスを移動し、数秒の短い期間留まることによって
呼び出されてもよい
その要素は、スクリーン３００の一部のみを覆っており、関連付けられたダイナミック・バーとその拡張ポップアップの一部が見えるように残している
ｅ．ＦＩＧ．４、ＦＩＧ．６、ＦＩＧ．１０、ＦＩＧ．１１Ｂ、ＦＩＧ．１３Ａ及びＦＩＧ．１３Ｂ（それぞれ当審訳の図４、図６、図１０、図１１Ｂ、図１３Ａ及び図１３Ｂ）は、次のとおりである。
（ａ）上記ａ．の記載によれば、「移動局２０２」は、「通信ネットワークを介する送信のためのテキストメッセージの入力のような通信関連機能、及び計算機又はタスクリストのようなデバイス常駐機能の両方のために使用」することができる「キーボード２３２及びディスプレイ２２２」と、「キーボード２３２及びディスプレイ２２２」などの追加デバイスサブシステムと「相互作用し」、「移動局２０２全体の動作を制御するマイクロプロセッサ２３８」とを含む。
（ｂ）上記ｃ．の記載によれば、複数のダイナミック・バー１００４、１００８、１０１２、１０１６及び１０２０は、各々がラベル部分１００３、１００７、１０１１、１０１５及び１０１９と、拡張ポップアップ１００６、１０１０、１０１４、１０１８及び１０２２とを有する。そして、図１０に示されるダイナミック・バーが拡張された状態では、ディスプレイ上、移動局ステータス部分１００２の下に一度に全体を表示することができないため、必要に応じて、スクロールアップ又はダウンさせることで、ディスプレイ２２２のボックス１００１で示される部分に所望のダイナミック・バー及び拡張スクリーンを表示する。また、拡張されていない状態では、ディスプレイ２２２上、移動局ステータス部分の下にラベル部分が表示されるものの、拡張ポップアップは表示されないと解される。
　そして、上記ｃ．の記載によれば、ラベル部分が“ｃｏｍｍｕｎｉｃａｔｅ”であるダイナミック・バー１００４及びその拡張ポップアップ１００６は、先の実施形態のダイナミック・バー３０４及び関連するポップアップ６０２と同様であるところ、上記ｂの記載によれば、「ダイナミック・バー３０４は、新たなイベント５０２（例えば、新たな音声メールメッセージ、電子メールメッセージ、ＳＭＳメッセージ、又はチャットのためのオンラインのコンタクト）の件数を含む」「動的なプレビュー情報」を表示するものであり、図１０によれば、棒状の移動局ステータス部分１００２の下に表示される棒状のラベル部分１００３には、音声メール、電子メール、ＳＭＳ、チャット等のようなダイナミック・バーに関連する特定のサービスについて、音声メールのアイコン及びその件数「５」、ＳＭＳのアイコン及びその件数「１０」、チャットのためのオンラインのコンタクトのアイコン及びその件数「１０」がそれぞれ表示されていることが見て取れる。また、上記ｂ．の記載によれば、「拡張ポップアップ６０２」には、「音声メール、電子メール、ＳＭＳ、チャット等のようなダイナミック・バー３０４に関連する特定のサービス６０４をリストし、リストは、当該サービスのアイコンによる表示６０６と、バー３０４に表示されるのと同様の件数６０８及び当該サービスのための関連するアプリケーションユーザインタフェースを呼び出すためのリンク６１０を含むプレビュー情報とを含む」ものであり、図１０によれば、ラベル部分が“ｃｏｍｍｕｎｉｃａｔｅ”であるダイナミック・バー１００４の拡張ポップアップ１００６には、音声メールについて、アイコン、件数「５」及び音声メールへのリンク、電子メールについて、アイコン、新たな電子メールが無いこと、未読件数「５０」及び未読電子メールへのリンク、ＳＭＳについて、アイコン、件数「１０」及びＳＭＳへのリンク、チャットのためのオンラインのコンタクトについて、アイコン、件数「１０」及びチャットを開始するためのリンクがそれぞれ表示されていることが見て取れる。
　そうすると、「複数のダイナミック・バー１００４、１００８、１０１２、１０１６及び１０２０は、各々が棒状のラベル部分１００３、１００７、１０１１、１０１５及び１０１９と、拡張ポップアップ１００６、１０１０、１０１４、１０１８及び１０２２とを有し、ダイナミック・バーが拡張された状態では、ディスプレイ上、棒状の移動局ステータス部分１００２の下に一度に全体を表示することができないため、スクロールアップ又はダウンさせることで、ディスプレイ２２２には棒状の移動局ステータス部分と所望のダイナミック・バー及び拡張スクリーンとが表示され、拡張されていない状態では、ディスプレイ２２２上、棒状の移動局ステータス部分の下に棒状のラベル部分が表示されるものの、拡張ポップアップは表示されず」、「新たなイベントの件数を含む動的なプレビュー情報を表示するラベル部分が“ｃｏｍｍｕｎｉｃａｔｅ”であるダイナミック・バー１００４には、音声メール、電子メール、ＳＭＳ、チャット等のようなダイナミック・バーに関連する特定のサービスについて、棒状のラベル部分１００３に、音声メールのアイコン及びその件数「５」、ＳＭＳのアイコン及びその件数「１０」、チャットのためのオンラインのコンタクトのアイコン及びその件数「１０」がそれぞれ表示され、その拡張ポップアップ１００６に、音声メールについて、アイコン、件数「５」及び音声メールへのリンク、電子メールについて、アイコン、新たな電子メールが無いこと、未読件数「５０」及び未読電子メールへのリンク、ＳＭＳについて、アイコン、件数「１０」及びＳＭＳへのリンク、チャットのためのオンラインのコンタクトについて、アイコン、件数「１０」及びチャットを開始するためのリンクがそれぞれ表示され」るといえる。
（ｃ）上記ｄ．の記載によれば、ラベル部分にフォーカスを移動し、数秒の短い期間留まることによって、付加的なダイナミック・バー・インターフェース拡張要素が呼び出され、関連付けられたダイナミック・バーとその拡張ポップアップの一部が見えるように表示される。当該拡張要素は、ドロップダウンリストであり、それぞれのダイナミック・バーに関連するアプリケーションの、ダイナミック・バー・インターフェースから起動することができる、特定の機能又は特徴から構成される。
　ここで、上記ｃ．の記載及び図１１Ｂによれば、ラベル部分が“ｐｌａｎ”であるダイナミック・バー１００８の拡張ポップアップ１０１０には、カレンダ及びタスク機能１１０２に関連して、現在の日１１０４である「Ｔｕｅｓｄａｙ：Ｔｕｅｓ，　Ｏｃｔｏｂｅｒ　０５．２００４」の下に以下の情報が表示されていることが見て取れる。
「 ３：００−４：００　ＰＭ：Ｍｅｅｔ　Ｇｅｏｒｇｅ
　４：３０−５：００　ＰＭ：Ｃａｌｌ　Ｂ
　６：４５−９：００　ＰＭ：Ｄｉｎｎｅｒ　ｗｉｔｈ　Ｍａ」
（当審訳：「午後３：００〜４：００　ジョージと会う
　午後４：３０〜５：００　Ｂに電話する
　午後６：４５〜９：００　Ｍａと夕飯」）
　そして、図１３Ｂによれば、ラベル部分が“ｐｌａｎ”であるダイナミック・バー１００８のドロップダウンリストには、当該「ダイナミック・バーに関連するアプリケーションの、ダイナミック・バー・インターフェースから起動することができる、特定の機能又は特徴」として、「Ｎｅｗ　Ａｐｐｔ／Ｔａｓｋ」（当審訳：「新たなアポイントメント／タスク」）の項目が含まれることから、「新たなアポイントメント／タスク」の項目を選択すると、ラベル部分が“ｐｌａｎ”であるダイナミック・バー１００８に関連するアプリケーションの「新たなアポイントメント／タスク」機能が起動され、新たなアポイントメント／タスクの内容が入力できるようになり、入力された新たなアポイントメント／タスクの内容が、拡張ポップアップ１０１０に表示されると解される。
　そうすると、「ラベル部分にフォーカスを移動し、数秒の短い期間留まることによってドロップダウンリストが呼び出され、関連付けられたダイナミック・バーとその拡張ポップアップの一部が見えるように表示され、
　ラベル部分が“ｐｌａｎ”であるダイナミック・バー１００８のドロップダウンリストには、「新たなアポイントメント／タスク」の項目が含まれ、「新たなアポイントメント／タスク」の項目を選択すると、ラベル部分が“ｐｌａｎ”であるダイナミック・バー１００８に関連するアプリケーションの「新たなアポイントメント／タスク」機能が起動され、新たなアポイントメント／タスクの内容が入力できるようになり、入力された新たなアポイントメント／タスクの内容が、拡張ポップアップ１０１０に表示される」といえる。
　以上を総合すると、引用文献には、以下の発明（以下、「引用発明」という。）が記載されていると認められる。
「通信ネットワークを介する送信のためのテキストメッセージの入力のような通信関連機能、及び計算機又はタスクリストのようなデバイス常駐機能の両方のために使用することができるキーボード２３２及びディスプレイ２２２と、
　キーボード２３２及びディスプレイ２２２などの追加デバイスサブシステムと相互作用し、移動局２０２全体の動作を制御するマイクロプロセッサ２３８とを含み、
　複数のダイナミック・バー１００４、１００８、１０１２、１０１６及び１０２０は、各々が棒状のラベル部分１００３、１００７、１０１１、１０１５及び１０１９と、拡張ポップアップ１００６、１０１０、１０１４、１０１８及び１０２２とを有し、ダイナミック・バーが拡張された状態では、ディスプレイ上、棒状の移動局ステータス部分１００２の下に一度に全体を表示することができないため、スクロールアップ又はダウンさせることで、ディスプレイ２２２には棒状の移動局ステータス部分と所望のダイナミック・バー及び拡張スクリーンとが表示され、拡張されていない状態では、ディスプレイ２２２上、棒状の移動局ステータス部分の下に棒状のラベル部分が表示されるものの、拡張ポップアップは表示されず、
　新たなイベントの件数を含む動的なプレビュー情報を表示するラベル部分が“ｃｏｍｍｕｎｉｃａｔｅ”であるダイナミック・バー１００４には、音声メール、電子メール、ＳＭＳ、チャット等のようなダイナミック・バーに関連する特定のサービスについて、棒状のラベル部分１００３に、音声メールのアイコン及びその件数「５」、ＳＭＳのアイコン及びその件数「１０」、チャットのためのオンラインのコンタクトのアイコン及びその件数「１０」が表示され、その拡張ポップアップ１００６に、音声メールについて、アイコン、件数「５」及び音声メールへのリンク、電子メールについて、アイコン、新たな電子メールが無いこと、未読件数「５０」及び未読電子メールへのリンク、ＳＭＳについて、アイコン、件数「１０」及びＳＭＳへのリンク、チャットのためのオンラインのコンタクトについて、アイコン、件数「１０」及びチャットを開始するためのリンクがそれぞれ表示され、
　ラベル部分にフォーカスを移動し、数秒の短い期間留まることによってドロップダウンリストが呼び出され、関連付けられたダイナミック・バーとその拡張ポップアップの一部が見えるように表示され、
　ラベル部分が“ｐｌａｎ”であるダイナミック・バー１００８のドロップダウンリストには、「新たなアポイントメント／タスク」の項目が含まれ、「新たなアポイントメント／タスク」の項目を選択すると、ラベル部分が“ｐｌａｎ”であるダイナミック・バー１００８に関連するアプリケーションの「新たなアポイントメント／タスク」機能が起動され、新たなアポイントメント／タスクの内容が入力できるようになり、入力された新たなアポイントメント／タスクの内容が、拡張ポップアップ１０１０に表示される、
　移動局２０２。」
イ　引用文献２
　原査定の拒絶の理由で引用された本願出願日前に頒布された又は電気通信回線を通じて公衆に利用可能となった刊行物である特表２０１１−５１６９３６号公報（以下、「引用文献２」という。）には、以下の記載がある。（下線は当審で付した。）
　「【００３１】
　図２Ａ〜２Ｃは、通知機能を示すモバイル装置のスクリーンショットを示す。
図２Ａ
左の画面は、いくつかのメッセージが届いた後の装置を全体的に示している。ディスプレイ200におけるステータスバー２０２の左に示されるように、アイコンは、音声メール、電子メール、写真のポスト、および不在着信電話に関係するメッセージを含む
【００３２】
　左の表示の主ゾーンは、この例ではブランクで示されており、単に、ゾーンの現在の状況は、様々な形を取りうることを示している。例えば、様々なアイコンを有する壁紙の背景を、デスクトップアイコンと共に表示することができる、すなわち、ユーザが、何らかの特定のアプリケーションに焦点を合わせていない場合の装置に対するモードである。代替的には、特に、進行中の電話通話を追跡し、かつ電話を行っている人物の画像、その人物の番号、および電話の経過時間を表示するアプリケーションなど、１つまたは複数のアプリケーションを、主ゾーン中で示すことができる。
【００３３】
　
図２Ａの右の画面は、ステータスバー２０２上で、ユーザが長押し、または下方向にドラッグした後のディスプレイ２００を示す
メッセージは、ディスプレイ２０４の主ゾーン中のメッセージ領域２０６で示されている
メッセージ通知アイコン
第１のメッセージは、ペールゲッスル（Ｐｅｒ　Ｇｅｓｅｌｅ）からの電子メールであり、第２のものは、ニクラスグリーン（Ｎｉｋｌａｓ　Ｇｒｅｅｎ）からのＧＯＯＧＬＥ　ＴＡＬＫ（グーグルトーク）メッセージであり、第３のものは、トマスレディン（Ｔｏｍａｓ　Ｌｅｄｉｎ）からの不在時着信電話であり、第４のものは、ニクラスグリーンによるＰＩＣＡＳＡ写真のポスティングであり、第５のものは、トマスレディンからの不在着信電話である
　上記記載によれば、メッセージが届いた後のステータスバー２０２にメッセージ通知アイコンが表示された状態で、ステータスバー２０２上で長押し又は下方向にドラッグすると、ディスプレイ２０４の主ゾーン中のメッセージ領域２０６（「ステータスバーに通知される情報に関する情報を通知する通知領域」に相当。）に、届いたメッセージが誰からのメッセージであるか（「ステータスバーに通知される情報の詳細情報」に相当。）をユーザに通知するものといえ、引用文献２には、以下の周知技術が記載されていると認める。
　「ステータスバーに通知される情報に関する情報を通知する通知領域が、ステータスバーに通知される情報の詳細情報を通知すること」（以下、「周知技術１」という。）。
ウ　引用文献３
　本願の出願前に電気通信回線を通じて公衆に利用可能となった、Ｎｏｂｕｙｕｋｉ　Ｈａｍａｓａｋｉ，”Ｎメモ：ステータスバーに付箋感覚で書ける！アプリ間共有やコピーもお手軽なメモアプリ！Ａｎｄｒｏｉｄアプリ２４８５”，［ｏｎｌｉｎｅ］，２０１１年（平成２３年１２月４日，ＯＣＴＯＢＡ，日本，株式会社オクトバ，［平成３０年８月３１日検索］，インターネット＜ＵＲＬ：https://octoba.net/archives/20111204-abdroid-2485.html＞（以下「引用文献３」という。）には、Ａｎｄｒｏｉｄ用のアプリケーションである「Ｎメモ」について、次の記載がある。（下線は当審で付した。）
ａ．「Ｎメモ：
ステータスバーに付箋感覚で書ける
Ａｎｄｒｏｉｄアプリ
ｂ．「『Ｎメモ』なら、
ステータスバーの通知領域をスワイプするだけで、いつでもどこでもメモの新規作成や閲覧が可能
ｃ．「アプリの特徴
　　　・
ステータスバーに貼り付けられるシンプルなテキストメモ
　　　・フォントカラーやサイズが変更できる。
　　　・クリップボードコピーやアプリ共有にも対応
　　　・
ステータスバーに新規作成ボタン設置可能
ｄ．「
アプリを起動すると、現在の画面上にシンプルな入力ウインドウが表示されます。ここに文章を入力していきましょう
ｅ．「メモを書くと、メモの数に応じてステータスバーにアイコンが表示されます。メモを見たい時は
ステータスバーを画面下方にスワイプしましょう。
　通知領域で、書いたメモが一覧できます。
ｆ．「なお
ｍｅｎｕ＞設定で
　
「ステータスバーにショートカット」にチェックを入れれば、通知領域に新規メモ作成の項目が常に表示されるようになります。
　
これで、ステータスバーからいつでもどこでも作成＆閲覧が可能
　上記ａ．の記載によれば、「Ｎメモ」は、ＡｎｄｒｏｉｄをＯＳとする電子機器上で実行されるアプリケーションといえ、上記ｂ．、ｃ．、ｅ．の記載によれば、ステータスバーを画面下方にスワイプすることで書いたメモの一覧を含む通知領域が表示され、上記ｃ、ｆの記載によれば、ｍｅｎｕ＞設定で「ステータスバーにショートカット」にチェックを入れることで、ステータスバーの通知領域に新規メモ作成の項目である新規作成ボタンが常に表示され、ステータスバーからメモの作成が可能になり、上記ｄ．の記載によれば、新規作成ボタンへの操作によってアプリを起動すると、文章を入力するための入力ウインドウが表示されるといえる。
　そうすると、引用文献３には、ＡｎｄｒｏｉｄをＯＳとする電子機器において、ステータスバーを画面下方にスワイプすることで表示されるステータスバーの通知領域に新規作成ボタンを設け、当該新規作成ボタンへの操作によってアプリを起動し、文章を入力するための入力ウインドウを表示させることが記載されているといえ、以下の技術が周知であるといえる。
　「電子機器の画面にボタンを設け、当該ボタンへの操作によって当該ボタンに対応付けられた動作を行わせること」（以下、「周知技術２」という。）
（４）引用発明との対比
ア　本件補正発明と引用発明とを対比する。
（ア）引用発明の「ラベル部分１００３」は、ダイナミック・バーが「拡張されていない状態」においても「棒状の移動局ステータス部分の下」に表示される「棒状」の部分であり、音声メール、電子メール、ＳＭＳ、チャット等のようなダイナミック・バーに関連する特定のサービスについて新たなイベントが有るとアイコンや件数が動的に表示され、新たなイベントが無いとアイコンは表示されないと解されるから、「ラベル部分１００３」には、当該サービスについての新たなイベントの有無に係る「情報」が「通知」されているといえる。
　ここで、上記（２）ア（ア）ｂの記載、ｅ．の図４及び図６によれば、図４では、移動局ステータス部分に電子メールのアイコンと件数「３０」が表示されているのに対し、図６では、ダイナミック・バーのラベル部分にサービスのアイコンと件数が表示され（なお、図６では、新着の電子メールが無いため、電子メールのアイコンは表示されていない。）、［００４８］には「図５及び図６のダイナミック・バー３０４は、新たなイベント５０２（例えば、新たな音声メールメッセージ、電子メールメッセージ、ＳＭＳメッセージ、又はチャットのためのオンラインのコンタクト）の件数を含む。このように、移動局ステータス部分３０６は、このような動的なプレビュー情報を表示する必要はない。」と記載されていることからみて、図６の実施形態や引用発明では、「棒状の移動局ステータス部分」と「棒状のラベル部分１００３」とを併せた棒状の部分は、ダイナミック・バーが「拡張されていない状態」においても端末の状態や電子メール等のサービスに関する情報を表示する、いわゆるステータスバーの機能を果たしているといえる。
　よって、引用発明の「棒状の移動局ステータス部分」と「棒状のラベル部分１００３」とを併せたものは、本件補正発明の「ステータスバー」に相当し、引用発明の「棒状のラベル部分１００３」に通知される音声メール、電子メール、ＳＭＳ、チャット等のようなダイナミック・バーに関連する特定のサービスについての情報は、本件補正発明の「ステータスバーに通知される情報」に相当する。
　そして、引用発明の「拡張ポップアップ１００６」は、「新たなイベント」が有るサービスについて、アイコン、件数及びリンクを表示し、「新たなイベント」が無い電子メールについて、アイコン、新たな電子メールが無いこと、未読件数「５０」及び未読電子メールへのリンクを表示することにより、ユーザに「ステータスバーに通知される情報」に関する情報を「通知」するといえるから、本件補正発明の「ステータスバーに通知される情報の詳細情報を通知する通知領域」と引用発明の「拡張ポップアップ１００６」とは、「ステータスバーに通知される情報に関する情報を通知する通知領域」である点で共通する。
　また、引用発明の「所望のダイナミック・バー及び拡張スクリーン」を表示する「ディスプレイ２２２」は、本件補正発明の「通知画面を表示するディスプレイ」に対応し、引用発明の「ドロップダウンリスト」は、「ラベル部分にフォーカスを移動し、数秒の短い期間留まることによってドロップダウンリストが呼び出され、関連付けられたダイナミック・バーとその拡張ポップアップの一部が見えるように表示され」るものでから、引用発明において、「ラベル部分が“ｐｌａｎ”であるダイナミック・バー１００８」が「ディスプレイ２２２」に表示されている状態で、当該ラベル部分にフォーカスを移動し、数秒の短い期間留まることによって呼び出される「ドロップダウンリスト」は、「ダイナミック・バー１００８」と「その拡張ポップアップの一部が見えるように表示され」るといえる。そして、「ドロップダウンリスト」の「新たなアポイントメント／タスク」の項目を選択することで「新たなアプリケーション／タスク」機能が起動される。
　そうすると、本件補正発明の「ボタン」と引用発明の当該「ドロップダウンリストの「新たなアポイントメント／タスク」の項目」とは、いずれも「通知画面」に含まれる「操作子」といえ、本件補正発明と引用発明とは、「ステータスバーに通知される情報に関する情報を通知する通知領域と操作子とを含む通知画面を表示するディスプレイ」を有する点で共通する。
（イ）引用発明では、ドロップダウンリストの「新たなアポイントメント／タスク」の項目を選択すると、ラベル部分が“ｐｌａｎ”であるダイナミック・バー１００８に関連するアプリケーションの「新たなアポイントメント／タスク」機能が起動され、新たなアポイントメント／タスクの内容が入力できるようになり、入力された新たなアポイントメント／タスクの内容が、拡張ポップアップ１０１０に表示される。ここで、新たなアポイントメント／タスクの内容は、アポイントの相手やタスクを表すテキストであると解することができる。
　そして、引用発明の「キーボード２３２」は、「通信ネットワークを介する送信のためのテキストメッセージの入力のような通信関連機能、及び計算機又はタスクリストのようなデバイス常駐機能の両方のために使用することができる」ものであり、引用発明の「マイクロプロセッサ２３８」は、「キーボード２３２及びディスプレイ２２２と相互作用し、移動局２０２全体の動作を制御する」ものであるから、引用発明において、ドロップダウンリストの「新たなアポイントメント／タスク」の項目の選択は、「キーボード２３２」を介した操作によって行われ、「マイクロプロセッサ２３８」は、当該操作があると関連するアプリケーションの「新たなアポイントメント／タスク」機能を起動して、「キーボード２３２」を介して「新たなアポイントメント／タスクの内容」に係るテキストを入力できるようにすると解することができる。また、当該テキストを入力することは、「キーボード２３２」を介してテキストを作成することといえ、拡張ポップアップ１０１０には、「キーボード２３２」を介して作成された作成テキストが表示されるといえる。
　そうすると、引用発明の「キーボード２３２」は、本件補正発明の「操作部」に相当し、本件補正発明の「プロセッサ」と引用発明の「マイクロプロセッサ２３８」とは、「前記操作部を介して前記操作子への操作があるとテキストを作成できるようにし、前記操作部を介して作成された作成テキストを前記通知画面に表示させるコントローラ」である点で共通する。
（ウ）引用発明の「移動局２０２」は、「電子機器」といえる点で本件補正発明と共通する。
イ　以上のことから、本件補正発明と引用発明との一致点及び相違点は、次のとおりである。
　【一致点】
　「操作部と、
　ステータスバーに通知される情報に関する情報を通知する通知領域と操作子とを含む通知画面を表示するディスプレイと、
　前記操作部を介して前記操作子への操作があるとテキストを作成できるようにし、前記操作部を介して作成された作成テキストを前記通知画面に表示させるコントローラ
と
　を有する電子機器。」
　【相違点１】
　「通知領域」が、本件補正発明では「ステータスバーに通知される情報の詳細情報」を通知するのに対し、引用発明では、「音声メールについて、アイコン、件数「５」及び音声メールへのリンク、電子メールについて、アイコン、新たな電子メールが無いこと、未読件数「５０」及び未読電子メールへのリンク、ＳＭＳについて、アイコン、件数「１０」及びＳＭＳへのリンク、チャットのためのオンラインのコンタクトについて、アイコン、件数「１０」及びチャットを開始するためのリンク」を通知する点。
　
　【相違点２】
　「操作子」が、本件補正発明では、「ボタン」であり、「コントローラ」は、「前記ボタンへの操作」があるとテキストを作成できるようにするのに対し、引用発明では、呼び出されると通知画面に表示されるドロップダウンリストの「新たなアポイントメント／タスク」の項目であり、「コントローラ」は、「新たなアポイントメント／タスク」の項目への操作があるとテキストを作成できるようにする点。
　【相違点３】
　「コントローラ」が、本件補正発明では「作成テキストを作成する作成画面を表示し、当該作成画面において」テキストを作成できるようにするのに対し、引用発明では、関連するアプリケーションの「新たなアポイントメント／タスク」機能を起動して、「キーボード２３２」を介して「新たなアポイントメント／タスクの内容」に係るテキストを作成できるようにする点。
（５）判断
　以下、相違点について検討する。
ア　相違点１について
　上記「イ　引用文献２」で述べたように、「ステータスバーに通知される情報に関する情報を通知する通知領域が、ステータスバーに通知される情報の詳細情報を通知すること」ことは周知技術（周知技術１）であり、当該周知技術１を採用して、引用発明の「拡張ポップアップ」が、「ステータスバーに通知される情報の詳細情報」を通知するようにすることは、当業者が適宜なし得ることにすぎない。
イ　相違点２について
　上記「イ　引用文献３」で述べたように、電子機器の画面にボタンを設け、当該ボタンへの操作によって当該ボタンに対応付けられた動作を行わせることは周知技術（周知技術２）であり、引用発明において、新たなアポイントメント／タスクをテキスト入力するために、呼び出されると通知画面に表示されるドロップダウンリストに「新たなアポイントメント／タスク」の項目を設けることに代えて、通知画面に「新たなアポイントメント」のボタンを設け、当該ボタンの操作によって前記テキスト入力を受け付けるように構成することは、当業者が容易になし得る。
ウ　相違点３について
　引用発明の「マイクロプロセッサ２３８」は、ドロップダウンリストの「新たなアポイントメント／タスク」の項目が選択されると、関連するアプリケーションの「新たなアポイントメント／タスク」機能を起動し、「キーボード２３２」を用いて新たなアポイントメント／タスクの内容に係るテキストを作成できるようにするといえるところ、キーボードを用いたテキストの作成は、「作成テキストを作成する作成画面を表示し、当該作成画面において」行うのが常套である。
　よって、引用発明において、関連するアプリケーションの「新たなアポイントメント／タスク」機能を起動して「作成テキストを作成する作成画面を表示し、当該作成画面において」新たなアポイントメント／タスクの内容に係るテキストを作成できるようにすることは、当業者が適宜なし得ることにすぎない。
エ　そして、これらの相違点を総合的に勘案しても、本件補正発明の奏する作用効果は、引用発明、及び周知技術１、２の奏する作用効果から予測される範囲内のものにすぎず、格別顕著なものということはできない。
　
オ　したがって、本件補正発明は、引用発明及び周知技術１、２に基づいて、当業者が容易に発明をすることができたものであり、特許法第２９条第２項の規定により、特許出願の際独立して特許を受けることができないものである。
　
３　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１　本願発明
　平成３０年７月２日にされた手続補正は、上記のとおり却下されたので、本願の請求項１ないし４に係る発明は、平成２９年４月１４日にされた手続補正により補正された特許請求の範囲の請求項１ないし４に記載された事項により特定されるものであるところ、その請求項１に係る発明（以下「本願発明」という。）は、その請求項１に記載された事項により特定される、前記第２［理由］「１　本件補正について（補正の内容）」の「（２）本件補正前の特許請求の範囲の記載」に記載のとおりのものである。請求項１を再掲する。
　「操作部と、
　ステータスバーに通知される情報の詳細情報を通知する通知領域を含む通知画面を表示するディスプレイと、
　前記操作部を介して作成された作成テキストを前記通知画面に表示させるコントローラ
と
　を有する電子機器。」
２　原査定の拒絶の理由の概要
　原査定の拒絶の理由の概要は、この出願の請求項１に係る発明は、本願出願日前に頒布された又は電気通信回線を通じて公衆に利用可能となった引用文献１に記載された発明、引用文献２に記載された周知技術に基づいて、その出願前にその発明の属する技術の分野における通常の知識を有する者が容易に発明をすることができたものであるから、特許法第２９条第２項の規定により特許を受けることができない、というものである。
　引用文献１：米国特許出願公開２００６／０１０１３５０号明細書
　引用文献２：特表２０１１−５１６９３６号公報
３　引用文献の記載事項、引用発明及び周知技術
　原査定の拒絶の理由で引用された引用文献１ないし２の記載事項、引用発明及び周知技術は、前記「第２　平成３０年７月２日にされた手続補正についての補正の却下の決定」の［理由］「２　補正の適否」の「（２）引用文献の記載事項」の「ア　引用文献１」及び「イ　引用文献２」に記載したとおりである。
４　対比・判断
　本願発明は、前記第２の［理由］２で検討した本件補正発明から、「通知画面」に含まれる「ボタン」を削除するとともに、「コントローラ」について、「前記操作部を介して前記ボタンへの操作があると作成テキストを作成する作成画面を表示し、当該作成画面において」という限定を削除して、「前記操作部を介して作成された作成テキストを前記通知画面に表示させるコントローラ」としたものである。
　そうすると、本願発明と引用発明との一致点及び相違点は、次のとおりである。
　【一致点】
　「操作部と、
　ステータスバーに通知される情報に関する情報を通知する通知領域を含む通知画面を表示するディスプレイと、
　前記操作部を介して作成された作成テキストを前記通知画面に表示させるコントローラ
と
　を有する電子機器。」
　【相違点１】
　「通知領域」が、本願発明では「ステータスバーに通知される情報の詳細情報」を通知するのに対し、引用発明では、「音声メールについて、アイコン、件数「５」及び音声メールへのリンク、電子メールについて、アイコン、新たな電子メールが無いこと、未読件数「５０」及び未読電子メールへのリンク、ＳＭＳについて、アイコン、件数「１０」及びＳＭＳへのリンク、チャットのためのオンラインのコンタクトについて、アイコン、件数「１０」及びチャットを開始するためのリンク」を通知する点。
　そして、相違点１に係る構成は、前記第２の［理由］２（５）アで判断したとおり、上記周知技術１を採用して当業者が適宜なし得ることにすぎない。
　よって、本願発明は、引用発明及び引用文献２に記載された周知技術１に基づいて、当業者が容易に発明をすることができたものである。
　
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。